(57)【要約】【課題】故障修理の精度を向上させた空気調和機の故障診断装置を提供する。【解決手段】空気調和機（図示せず）に発生した異常を検出する異常検出手段２により検出された異常情報を複数記憶する書き換え可能な不揮発メモリ４と、必要に応じて不揮発メモリ４に記憶されている複数の異常情報を表示可能な異常表示手段５とを備え、異常が発生しない運転時間が所定時間続いたら、不揮発メモリ４に記憶されている異常情報を全て消去するもので、故障修理後に正常運転が所定時間続けば、異常情報は、人為的に消さなくても、自動で消去され、次回別の故障で修理するときの故障修理精度を向上させることができ、また、ノイズ等により一時的に誤って異常を検知しても、正常運転が所定時間続けば自動で異常情報が消去されるので、故障診断の精度を向上できる。【選択図】図１
2010101568.tif 000002
【特許請求の範囲】
【請求項１】
空気調和機に発生した異常を検出する異常検出手段と、前記異常検出手段により検出された異常情報を複数記憶する書き換え可能な不揮発メモリと、必要に応じて前記不揮発メモリに記憶されている複数の異常情報を表示可能な異常表示手段とを備え、異常が発生しない運転時間が所定時間続いたら、前記不揮発メモリに記憶されている異常情報を全て消去することを特徴とする空気調和機の故障診断装置。
【請求項２】
異常情報毎に複数の異常情報の消去条件を備え、いずれかの消去条件が成立したら該当する異常情報のみを消去することを特徴とする請求項１に記載の空気調和機の故障診断装置。
【発明の詳細な説明】
【技術分野】
【０００１】
本発明は、空気調和機の故障診断装置に関するものである。
【背景技術】
【０００２】
従来この種の空気調和機の故障診断装置としては、空気調和機の故障を修理した後、サービスマンが消去用スイッチ等を操作して、不揮発メモリに記憶されている異常情報を消去するようにしたものがある（例えば、特許文献１参照）。
【０００３】
また、異常の発生回数等も表示できるようにして、サービスマンがノイズ等による異常誤検出の判断ができるようにしたものもある（例えば、特許文献２参照）。
【特許文献１】特開平１−１１４９９９号公報
【特許文献２】特開平７−１７４３８７号公報
【発明の開示】
【発明が解決しようとする課題】
【０００４】
しかしながら上記従来の空気調和機の故障診断装置では、異常情報の消し忘れがあったり、不慣れなサ−ビスマンは異常情報を消すことを知らなかったりして、空気調和機の故障修理後に異常情報を確実に消去することができなかった。そのため、次回別の故障で修理するとき、前回の異常情報を見て今回の故障とは関係ない部品を交換し、故障修理の精度が下がるといった課題があった。
【０００５】
また、製品的には正常であるがノイズ等により一時的に誤って検知した異常をサービスマンが見極めるのは難しく、また異常情報が人為的に消去されるまで永遠に残るため、故障修理の精度が下がるといった課題があった。
【０００６】
本発明は、上記従来の課題を解決するもので、製品的に正常であると判断された場合は、自動で異常情報を消去することにより、故障診断の精度を向上させて、故障修理の精度を向上させることができる空気調和機の故障診断装置を提供することを目的としている。
【課題を解決するための手段】
【０００７】
前記従来の課題を解決するために本発明の空気調和機の故障診断装置は、空気調和機に発生した異常を検出する異常検出手段と、前記異常検出手段により検出された異常情報を複数記憶する書き換え可能な不揮発メモリと、必要に応じて前記不揮発メモリに記憶されている複数の異常情報を表示可能な異常表示手段とを備え、異常が発生しない運転時間が所定時間続いたら、前記不揮発メモリに記憶されている異常情報を全て消去するもので、故障修理後に正常運転が所定時間続けば、人為的に異常情報の消去を行わなくても、自動で異常情報が消去されるので、次回別の故障で修理するときの故障修理精度を向上させることができる。また、ノイズ等により一時的に誤って異常を検知した場合も、正常運転が所定時間続けば自動で異常情報を消去してくれるため、故障診断の精度を向上させることができる。
【発明の効果】
【０００８】
本発明の空気調和機の故障診断装置は、自動で異常情報を消去することにより故障診断の精度を向上させ、故障修理の精度を向上させることができる。
【発明を実施するための最良の形態】
【０００９】
第１の発明は、空気調和機に発生した異常を検出する異常検出手段と、前記異常検出手
段により検出された異常情報を複数記憶する書き換え可能な不揮発メモリと、必要に応じて前記不揮発メモリに記憶されている複数の異常情報を表示可能な異常表示手段とを備え、異常が発生しない運転時間が所定時間続いたら、前記不揮発メモリに記憶されている異常情報を全て消去するもので、故障修理後に正常運転が所定時間続けば、人為的に異常情報の消去を行わなくても、自動で異常情報が消去されるので、次回別の故障で修理するときの故障修理精度を向上させることができる。また、ノイズ等により一時的に誤って異常を検知した場合も、正常運転が所定時間続けば自動で異常情報を消去してくれるため、故障診断の精度を向上させることができる。
【００１０】
第２の発明は、特に、第１の発明の異常情報毎に複数の異常情報の消去条件を備え、いずれかの消去条件が成立したら該当する異常情報のみを消去するものである。異常の検出条件は異常内容毎に様々である。例えば圧縮機に関する異常は圧縮機運転中のみ異常検出を行い、室内ファンモータに関する異常は室内ファンモータ運転中のみ異常検出を行う。しかしながら空気調和機が送風運転の場合は、圧縮機は止めたまま室内ファンモータのみ運転するため、圧縮機と室内ファンモータ両方の異常情報が記憶されている場合、室内ファンモータの正常運転が所定時間続いたということで、全ての異常情報を消去してしまうと、本当に圧縮機が正常に動くのか解らない内に圧縮機の異常情報まで消去してしまい、故障診断の精度が下がるという問題があるが、本発明によれば、複数の異常が発生しても、確実に正常に復帰した異常情報のみを消去することができ、故障診断の精度を更に向上させることができる。
【００１１】
以下、本発明の実施の形態について、図面を参照しながら説明する。なお、本実施の形態によって本発明が限定されるものではない。
【００１２】
（実施の形態１）
図１は、本発明の実施の形態１における空気調和機の故障診断装置の回路構成図、図２は、同空気調和機の故障診断装置の動作を示すフローチャートである。
【００１３】
図１において、本実施の形態における空気調和機の故障診断装置１は、空気調和機（図示せず）に発生した異常を検出する異常検出手段２と、異常検出手段２により検出された異常情報を複数記憶する書き換え可能な不揮発メモリ４と、異常情報を不揮発メモリ４に書き込む演算処理手段３と、必要に応じて不揮発メモリ４に記憶されている複数の異常情報を表示可能な異常表示手段５と、リモコン６とを備え、異常検出手段２にて空気調和機（図示せず）に発生した何らかの異常を検出すると、演算処理手段３はその異常情報を不揮発メモリ４に書き込む。
【００１４】
また異常情報の確認時は、リモコン６を操作して異常表示要求信号を送ると、演算処理手段３は不揮発メモリ４に記憶されている異常情報を異常表示手段５に表示し、異常情報を確認することができる。不揮発メモリ４に異常情報が記憶されていなければ、異常表示手段５には異常情報が無い旨が表示される。
【００１５】
図２において空気調和機の運転を開始すると、ステップＳ１にて何らかの異常が発生したか判断し、異常が発生していなければステップＳ２にて正常運転時間をカウントする正常タイマをカウントさせ、ステップＳ３で不揮発メモリ４に異常情報があるか判断し、異常情報が無ければステップＳ１に戻る。
【００１６】
一方ステップＳ３で、異常情報が有ればステップＳ４で、正常タイマが所定値Ｔ（例えば１６０時間）以上であるか判断し、所定値Ｔ以上であればステップＳ５で不揮発メモリ４の全異常情報を消去する。
【００１７】
また、ステップＳ１で異常発生を検知した場合は、ステップＳ６でその異常情報を不揮発メモリ４に書き込み、ステップＳ７で正常タイマをクリアし、ステップＳ１に戻る。
【００１８】
本実施の形態における空気調和機の故障診断装置は、以上のように構成されているので、異常が発生しない運転時間が所定時間続いたら、自動で異常情報を消去してくれるため、次回別の故障で修理するときに誤修理を減らすことができる。また、ノイズ等により一時的に誤って異常を検知した場合も、自動で異常情報を消去してくれるため、故障診断の精度を向上させ、故障修理の精度を向上させることができる。
【００１９】
（実施の形態２）
図３は、本発明の実施の形態２における空気調和機の故障診断装置の動作を示すフローチャートである。なお、上記実施の形態１における空気調和機の故障診断装置と同一部分については、同一符号を付してその説明を省略する。
【００２０】
図３において、空気調和機の運転を開始すると、ステップＳ１１にて何らかの異常が発生したか判断し、異常が発生していなければステップＳ１２にて異常Ａ（例えば圧縮機の異常）の正常運転時間をカウントする正常タイマＡをカウントさせ、ステップＳ１３で異常Ｂ（例えば室内ファンモータの異常）の正常運転時間をカウントする正常タイマＢをカウントさせ、ステップＳ１４にて不揮発メモリ４に異常情報Ａがあるか判断し、異常情報Ａが無ければステップＳ１７に移行する。
【００２１】
一方ステップＳ１４で、異常情報Ａが有ればステップＳ１５で正常タイマＡが所定値ＴＡ（例えば２００時間）以上であるか判断し、所定値ＴＡ以上であればステップＳ１６で不揮発メモリ４の異常情報Ａのみを消去する。ステップＳ１７からＳ１９では同様に異常情報Ｂの消去を判断している。
【００２２】
また、ステップＳ１１で異常発生を検知した場合は、ステップＳ２０でその異常情報がＡまたはＢであるか判断し、ステップＳ２１からステップＳ２４にて、該当する異常情報を不揮発メモリ４に書き込み、該当する正常タイマのみをクリアし、ステップＳ１１に戻る。
【００２３】
以上のような動作により、複数の異常が発生しても、確実に正常に復帰した異常情報のみを消去することができ、故障診断の精度を更に向上させることができる。
【００２４】
なお、本実施の形態においては、異常情報はＡとＢの２種類のみとしたが、異常情報が更に多い場合でも異常情報の消去条件を増やせば同様の効果が得られる。
【産業上の利用可能性】
【００２５】
本発明の空気調和機の故障診断装置は、故障修理の精度を向上させることができるもので、空気調和機のみならず自動で故障診断を行う機器にも適用できる。
【図面の簡単な説明】
【００２６】
【図１】本発明の実施の形態１における空気調和機の故障診断装置の回路構成図
【図２】同空気調和機の故障診断装置の動作を示すフローチャート
【図３】本発明の実施の形態２における空気調和機の故障診断装置の動作を示すフローチャート
【符号の説明】
【００２７】
１  故障診断装置
２  異常検出手段
３  演算処理手段
４  不揮発メモリ
５  異常表示手段
【図１】
2010101568.tif 000003
【図２】
2010101568.tif 000004
【図３】
2010101568.tif 000005